(57)【特許請求の範囲】
【請求項１】
電力ケーブルの端部に装着されるゴムモールド部品であって、
絶縁性を有する筒状の本体部と、
前記本体部の中間部の内周面に一体に形成される筒状の電界緩和層と、
前記電界緩和層に潤滑剤を保持するための保持溝が形成された内周面とを備え、
前記保持溝は、前記ゴムモールド部品の軸方向を分断すると共に、互いに隣接する複数の分断箇所を有するゴムモールド部品。
【請求項２】
電力ケーブルの端部に装着されるゴムモールド部品であって、
絶縁性を有する筒状の本体部と、
前記本体部の中間部の内周面に一体に形成される筒状の電界緩和層と、
前記電界緩和層に潤滑剤を保持するための保持溝が形成された内周面とを備え、
前記保持溝は、前記ゴムモールド部品の軸方向を分断する複数の分断箇所を有し、
前記保持溝は、螺旋溝を有するゴムモールド部品。
【請求項３】
前記保持溝は、螺旋溝を有する請求項１に記載のゴムモールド部品。
【請求項４】
前記保持溝は、軸方向に並列する複数のリング溝を有する請求項１に記載のゴムモールド部品。
【請求項５】
前記電界緩和層の硬さは、前記本体部の硬さよりも硬い請求項１から請求項４のいずれか１項に記載のゴムモールド部品。
【請求項６】
前記保持溝は、前記内周面を１周以上連続する連続箇所を有する請求項１から請求項５のいずれか１項に記載のゴムモールド部品。
【請求項７】
前記保持溝の最大深さは、前記保持溝の開口幅以下である請求項１から請求項６のいずれか１項に記載のゴムモールド部品。
【請求項８】
前記保持溝の最大深さは、０．５ｍｍ以下である請求項７に記載のゴムモールド部品。
【請求項９】
前記保持溝の開口幅は、１ｍｍ以下である請求項１から請求項８のいずれか１項に記載のゴムモールド部品。
【請求項１０】
前記保持溝のピッチは、２ｍｍ以下である請求項１から請求項９のいずれか１項に記載のゴムモールド部品。
【請求項１１】
前記保持溝の底面の幅は、前記保持溝の開口幅以下である請求項１から請求項１０のいずれか１項に記載のゴムモールド部品。
【請求項１２】
前記保持溝に保持される潤滑剤を備える請求項１から請求項１１のいずれか１項に記載のゴムモールド部品。
【請求項１３】
電力ケーブルと、電力ケーブルの端部に装着されるゴムモールド部品とを備える電力ケーブルの接続部であって、
前記ゴムモールド部品は、請求項１から請求項１２のいずれか１項に記載のゴムモールド部品である電力ケーブルの接続部。
【請求項１４】
段剥ぎした端部を有する電力ケーブルと、請求項１から請求項１２のいずれか１項に記載のゴムモールド部品とを準備する準備工程と、
前記電力ケーブルの段剥ぎした端部に前記ゴムモールド部品を装着する装着工程とを備えるゴムモールド部品の施工方法。
【発明の詳細な説明】
【技術分野】
【０００１】
本発明は、電力ケーブルの端末接続部や中間接続部の構築に利用される筒状のゴムモールド部品、そのゴムモールド部品を備える電力ケーブルの接続部、及びそのゴムモール部品の施工方法に関するものである。特に、電力ケーブルへの装着性に優れるゴムモールド部品に関する。
【背景技術】
【０００２】
ＣＶケーブルなどの電力ケーブルの端末接続部や中間接続部を構築する部品の一つに、ゴムモールド部品がある。このゴムモールド部品は、絶縁性を有する筒状の本体部と、その本体部の中間部の内周面に一体に形成され、半導電性を有する筒状の電界緩和層とを備える。ゴムモールド部品は、電力ケーブルの端末接続部や中間接続部を構築する際、予め端部を段剥ぎしておいたケーブルが挿入されてケーブルに装着される。その装着の際、ゴムモールド部品はケーブルに対して滑りが悪いため、ケーブルにゴムモールド部品をスムースに装着することが難しい。そのため、通常、ゴムモールド部品の内周面やケーブルの表面に潤滑剤を塗布した状態で、ケーブルにゴムモールド部品が装着される。
【０００３】
ゴムモールド部品の内径は、一般的にケーブルの外径よりも小さい。これは、ケーブルとゴムモールド部との界面に面圧が掛かるようにして、その界面の絶縁耐力を確保するためである。そのため、ケーブルのゴムモール部品への挿入時に、ケーブルやゴムモールド部品に塗布した潤滑剤が両者の摩擦で擦り取られる。そうすると、ケーブルとゴムモールド部品との滑りが悪化し、ケーブルにゴムモールド部品を円滑に装着することが難しくなる。
【０００４】
例えば、特許文献１のゴムモールド部品の電界緩和層は、ケーブル絶縁体との接触面の端部に形成された少なくとも１つの突起を有する。この電界緩和層に設けられた突起により、ケーブルへのゴムモールド部品の装着時、電界緩和層とケーブル絶縁体との間に隙間を形成して、潤滑剤がゴムモールド部品とケーブル絶縁体との間に侵入させ易くして、ゴムモールド部品の装着性を高めている。
【先行技術文献】
【特許文献】
【０００５】
【特許文献１】特開平１１−２８９６５０号公報
【発明の概要】
【発明が解決しようとする課題】
【０００６】
更なる、電力ケーブルへの装着性に優れるゴムモールド部品の開発が望まれている。
【０００７】
本発明は、上記事情に鑑みてなされたもので、その目的の一つは、電力ケーブルへの装着性に優れるゴムモールド部品を提供することにある。
【０００８】
本発明の別の目的は、ゴムモール部品を備える電力ケーブルの接続部を提供することにある。
【０００９】
本発明の他の目的は、ゴムモール部品を用いて電力ケーブルに装着するゴムモールド部品の施工方法を提供することにある。
【課題を解決するための手段】
【００１０】
本発明の一態様に係るゴムモールド部品は、電力ケーブルの端部に装着されるゴムモールド部品であって、潤滑剤を保持するための保持溝が形成された内周面を備え、保持溝は、ゴムモールド部品の軸方向を分断する複数の分断箇所を有する。
【００１１】
本発明の一態様に係る電力ケーブルの接続部は、電力ケーブルと、電力ケーブルの端部に装着されるゴムモールド部品とを備える電力ケーブルの接続部であって、ゴムモールド部品は、本発明の一態様に係るゴムモールド部品である。
【００１２】
本発明の一態様に係るゴムモールド部品の施工方法は、段剥ぎした端部を有する電力ケーブルと、本発明の一態様に係るゴムモールド部品とを準備する準備工程と、電力ケーブルの段剥ぎした端部にゴムモールド部品を装着する装着工程とを備える。
【発明の効果】
【００１３】
上記ゴムモールド部品は、電力ケーブルへの装着性に優れる。
【００１４】
上記電力ケーブルの接続部は、組立作業性に優れる。
【００１５】
上記ゴムモールド部品の施工方法は、電力ケーブルにゴムモールド部品を容易に装着できる。
【図面の簡単な説明】
【００１６】
【図１】実施形態１に係るゴムモールド部品の縦断面図である。
【図２】実施形態１に係る電力ケーブルの接続部の部分断面図である。
【図３】実施形態２に係るゴムモールド部品の縦断面図である。
【図４】実施形態２に係る電力ケーブルの接続部の部分断面図である。
【図５】実施形態４に係るゴムモールド部品に備わる電界緩和層の保持溝の横断面図である。
【図６】実施形態５に係るゴムモールド部品に備わる電界緩和層の保持溝の横断面図である。
【図７】実施形態６に係るゴムモールド部品に備わる電界緩和層の縦断面図である。
【発明を実施するための形態】
【００１７】
《本発明の実施形態の説明》
最初に本発明の実施態様の内容を列記して説明する。
【００１８】
（１）本発明の一態様に係るゴムモールド部品は、電力ケーブルの端部に装着されるゴムモールド部品であって、潤滑剤を保持するための保持溝が形成された内周面を備え、保持溝は、ゴムモールド部品の軸方向を分断する複数の分断箇所を有する。
【００１９】
上記の構成によれば、電力ケーブルへの装着性に優れる。ゴムモールド部品を電力ケーブルに装着する際、一般にケーブルの表面には潤滑剤を塗布する。保持溝が形成された内周面を備えることで、電力ケーブルのゴムモールド部品への挿入時、電力ケーブルの表面の潤滑剤は、保持溝に入り込む。そのため、内周面に保持溝が形成されていない場合に比較して、電力ケーブルの表面の潤滑剤が内周面により擦り取られ難い。その上、保持溝の分断箇所が電力ケーブルの挿入方向に交差しているため、保持溝が軸方向に沿うように電力ケーブルの挿入方向に沿っている場合に比較して、保持溝内の潤滑剤は電力ケーブルの挿入によって押し出されて流れ出て行くことがない。従って、電力ケーブルとゴムモールド部品との滑りが悪化し難く、電力ケーブルにゴムモールド部品を円滑に装着し易い。
【００２０】
保持溝に潤滑剤を保持させられるため、電力ケーブルをゴムモールド部品に挿入する際、電力ケーブルの端部に潤滑剤を塗布せず、保持溝が形成された内周面に潤滑剤を塗布する場合でも、電力ケーブルへの装着性に優れる。保持溝内の潤滑剤は、電力ケーブルのゴムモールド部品への挿入時、電力ケーブルの表面により擦り取られ難いからである。
【００２１】
電力ケーブルをゴムモールド部品に挿入する際、電力ケーブルの端部とゴムモールド部品の保持溝が形成された内周面との両方に潤滑剤が塗布されている場合には、電力ケーブルへの装着性により一層優れる。
【００２２】
（２）上記ゴムモールド部品の一形態として、ゴムモールド部品は、絶縁性を有する筒状の本体部と、本体部の中間部の内周面に一体に形成される筒状の電界緩和層とを備え、電界緩和層に保持溝が形成された内周面を備えることが挙げられる。
【００２３】
上記の構成によれば、上述したように電力ケーブルとゴムモールド部品との滑りが悪化し難いため、電力ケーブルへの装着性に優れる。
【００２４】
（３）本体部と電界緩和層を備える上記ゴムモールド部品の一形態として、電界緩和層の硬さは、本体部の硬さよりも硬いことが挙げられる。
【００２５】
上記の構成によれば、ゴムモールド部品の電力ケーブルへの装着時、電力ケーブルとの接触で電界緩和層が変形し難いので保持溝の変形を抑制し易い。それにより、保持溝に潤滑剤を保持させ易く、潤滑剤が保持溝間を乗り越え難い。そのため、ゴムモールド部品の電力ケーブルへの装着後、保持溝に空隙が形成され難い。従って、電力ケーブルに電圧が印加された際、電界緩和層で放電が生じることを低減できる。
【００２６】
（４）上記ゴムモールド部品の一形態として、保持溝は、内周面を１周以上連続する連続箇所を有することが挙げられる。
【００２７】
上記の構成によれば、連続箇所を備えることで、内周全周に亘って潤滑剤を保持させられるため、電力ケーブルへの装着性に優れる。
【００２８】
（５）上記ゴムモールド部品の一形態として、保持溝は、螺旋溝を有することが挙げられる。
【００２９】
上記の構成によれば、内周全周に亘って保持溝が形成されているため、内周全周に亘って潤滑剤を保持させられるので、電力ケーブルへの装着性に優れる。
【００３０】
（６）上記ゴムモールド部品の一形態として、保持溝は、軸方向に並列する複数のリング溝を有することが挙げられる。
【００３１】
上記の構成によれば、上述の螺旋溝の場合と同様、電力ケーブルへの装着性に優れる。
【００３２】
（７）上記ゴムモール部品の一形態として、保持溝の最大深さは、保持溝の開口幅以下であることが挙げられる。
【００３３】
上記の構成によれば、保持溝の最大深さが保持溝の開口幅超の場合に比較して、最大深さを同じとすると、開口幅が広いため保持溝に潤滑剤を保持させ易い上に、保持溝に保持させる潤滑剤を多くし易い。また、開口幅を同じとすると、最大深さが浅いため潤滑剤の量が過度に多くなりすぎ難い上に、電気的弱点となり難い。更に、保持溝の体積（横断面積）を同じとすると、開口幅が広く最大深さが浅いため潤滑剤を保持させ易い上に、電気的弱点となり難い。
【００３４】
（８）上記ゴムモールド部品の一形態として、保持溝の最大深さは、０．５ｍｍ以下であることが挙げられる。
【００３５】
保持溝の最大深さを０．５ｍｍ以下とすれば、保持溝が電気的弱点となることなく保持溝に潤滑剤を保持させられる。
【００３６】
（９）上記ゴムモールド部品の一形態として、保持溝の開口幅は、１ｍｍ以下であることが挙げられる。
【００３７】
保持溝の開口幅を１ｍｍ以下とすれば、開口幅が過度に大きくなりすぎないため、保持溝に保持させる潤滑剤の量が多くなり過ぎない。
【００３８】
（１０）上記ゴムモールド部品の一形態として、保持溝のピッチは、２ｍｍ以下であることが挙げられる。
【００３９】
保持溝のピッチを２ｍｍ以下とすれば、隣り合う溝同士の間隔が過度に広くなりすぎない。そのため、電力ケーブルの表面に塗布する潤滑剤が、電力ケーブルをゴムモールド部品に挿入する際の電力ケーブルと電界緩和層の内周面との接触により擦り取られ難い。
【００４０】
（１１）上記ゴムモールド部品の一形態として、保持溝の底面の幅は、保持溝の開口幅以下であることが挙げられる。
【００４１】
保持溝の底面の幅を保持溝の開口幅以下とすれば、溝を形成し易い上に、潤滑剤を保持させ易い。
【００４２】
（１２）上記ゴムモールド部品の一形態として、保持溝に保持される潤滑剤を備えることが挙げられる。
【００４３】
上記の構成によれば、電力ケーブルの接続部を構築する施工現場において、潤滑剤を保持溝に塗布する作業を省略し易く、電力ケーブルの接続部の構築作業を簡略化し易い。
【００４４】
（１３）本発明の一態様に係るゴムモールド部品は、電力ケーブルと、電力ケーブルの端部に装着されるゴムモールド部品とを備える電力ケーブルの接続部であって、ゴムモールド部品は、上記（１）から（１２）のいずれか１つのゴムモールド部品である。
【００４５】
上記の構成によれば、電界緩和層に保持溝が形成されて電力ケーブルへの装着性に優れる上述のゴムモールド部品を備えるため、組立作業性に優れる。
【００４６】
（１４）本発明の一態様に係るゴムモールド部品の施工方法は、段剥ぎした端部を有する電力ケーブルと、上記（１）から（１２）のいずれか１つのゴムモールド部品とを準備する準備工程と、電力ケーブルの段剥ぎした端部にゴムモールド部品を装着する装着工程とを備える。
【００４７】
上記の構成によれば、電界緩和層に保持溝が形成された上述のゴムモールド部品を用いるため、電力ケーブルにゴムモールド部品を容易に装着できる。特に、準備工程で、電界緩和層の保持溝に潤滑剤が保持されているゴムモールド部品を準備する場合には、施工現場で電界緩和層の内周面に潤滑剤を塗布する作業を省略し易いため、電力ケーブルの接続部の構築作業を簡略化し易い。このように予め保持溝に潤滑剤が保持されていれば、電力ケーブルへの潤滑剤の塗布を省略してもよい。
【００４８】
《本発明の実施形態の詳細》
本発明の実施形態１から実施形態６の詳細を、以下に図面を参照しつつ説明する。図中の同一符号は、同一名称物を示す。実施形態１では、まず、ゴムモールド部品を説明し、その後、ゴムモールド部品を備える電力ケーブルの接続部、ゴムモールド部品の施工方法の順に説明する。実施形態２から実施形態６では、実施形態１との相違点を中心に説明し、同様の構成及び同様の効果については説明を省略する。
【００４９】
《実施形態１》
〔ゴムモールド部品〕
主として図１（適宜図２など）を参照して、実施形態１に係るゴムモールド部品１を説明する。ゴムモールド部品１は、電力ケーブル１０（図２）の端部に装着される。このゴムモールド部品１の主たる特徴とするところは、本体部２に潤滑剤４００を保持する特定の保持溝４０が形成された内周面４を備える点にある。以下、各構成を詳細に説明する。
【００５０】
［本体部］
本体部２は、図１に示すように筒状であり、後述する電力ケーブル１０（図２）の端部が挿入されて電力ケーブル１０の端部の絶縁性を高める。本体部２の材質は、電気絶縁性に優れるゴム、例えば、シリコーンゴム、エチレンプロピレンゴム（ＥＰゴム）、及びクロロプレンゴムなどが挙げられる。本体部２の硬さは、本体部２の材質の配合によって種々選択できる。
【００５１】
本体部２の一方の開口端（図１上側、以下、先端という）は、電力ケーブル１０の導体１１（後述）に電気的に接続される金属端子２００（後述）が設けられる（図２）。本体部２の他方の開口端側（図１下側、以下、後端という）は、電力ケーブル１０の端部が挿入される。本体部２の内周面４には、保持溝４０が形成されている。本体部２の内周面４をゴムモールド部品１の軸方向ｃから見たとき、保持溝４０は本体部２の内周方向に突出しておらず、軸方向手前の内周面４の輪郭が軸方向奥の内周面４の輪郭と重複し、本体部２の内周面の輪郭は単一の円形に見える。
【００５２】
（保持溝）
保持溝４０は、潤滑剤４００（図１右下一点鎖線円内に二点鎖線で示す）が保持される。図１右下一点鎖線円内の図は、図１右上一点鎖線円内に示す本体部２の内周面の拡大図において、（Ａ）−（Ａ）切断線で切断した断面図を示し、保持溝４０の横断面を示す図である。この潤滑剤４００の保持とは、以下の二つの場合が挙げられる。
【００５３】
（１）本体部２の内周面４に直接潤滑剤４００が塗布されず、潤滑剤が塗布された電力ケーブル１０の端部のゴムモールド部品１への差し込みによって潤滑剤が保持溝４０に入り込むことで、潤滑剤４００が保持溝４０に保持される。
（２）本体部２の内周面４に直接潤滑剤４００が塗布されることで、潤滑剤４００が保持溝４０に保持される。
上記（２）の場合のように予め保持溝４０が潤滑剤４００を保持していれば、後述する電力ケーブルの接続部１００を構築する施工現場において、潤滑剤４００を保持溝４０に塗布する作業を省略してもよく、電力ケーブルの接続部１００の構築作業を簡略化し易い。このように予め保持溝４０に潤滑剤４００が保持されていれば、電力ケーブル１０への潤滑剤の塗布を省略してもよい。
【００５４】
保持溝４０は、ゴムモールド部品１の軸方向ｃと交差するように設けられている。より具体的には、ゴムモールド部品１の軸方向ｃを分断する複数の分断箇所を有する（図１右上一点鎖線円内）。複数の分断箇所を有することで、電力ケーブル１０のゴムモールド部品１への挿入時、電力ケーブル１０の表面の潤滑剤は、保持溝４０に入り込んで保持溝４０に保持される。そのため、保持溝４０を備えていない場合に比較して、電力ケーブル１０の表面の潤滑剤が本体部２の内周面４により擦り取られ難い。その上、保持溝４０の分断箇所が電力ケーブル１０の挿入方向に交差しているため、潤滑剤４００は、保持溝４０が軸方向ｃに沿っている場合に比較して、その軸方向ｃに沿って流れて出て行くことがない。従って、電力ケーブル１０を挿入し易い。保持溝４０は、本体部２の内周面の周方向のどの位置をその軸方向ｃに沿って見ても、複数の分断箇所が存在することが好ましい。
【００５５】
保持溝４０は、本体部２の内周面を１周以上連続しない１周未満の箇所を有していてもよいし、本体部２の内周面を１周以上連続する連続箇所を有していてもよい。１周未満の箇所を有するとは、具体的には、溝の始端と終端とがゴムモールド部品１の軸方向ｃ及び周方向にずれていて、始端から終端に亘って１周以上周回していない複数の曲線溝を有することが挙げられる。１周以上連続する連続箇所を有するとは、具体的には、螺旋溝やリング溝が挙げられる。螺旋溝は、本体部２の内周面を１周する毎に連続箇所が軸方向ｃにずれる。リング溝は、同一平面上で１周分の連続箇所が形成される。
【００５６】
保持溝４０が螺旋溝を有する場合、保持溝４０は、「複数のターンを有する１本の螺旋溝」、「一つのターンを有する複数本の螺旋溝」、「複数のターンを有する複数本の螺旋溝」の少なくとも一つを有することが好ましい。保持溝４０がリング溝を有する場合、リング溝の数は複数とし、複数のリング溝は軸方向ｃに並列していることが好ましい。ここでは、保持溝４０は、図１右上一点鎖線円に示すように、本体部２の内周面を複数周連続する１本の螺旋溝、即ち、複数のターンを有する１本の螺旋溝で構成している。保持溝４０がリング溝を有する形態は、後述する実施形態６で説明する。
【００５７】
〈横断面形状〉
保持溝４０の横断面形状は、特に限定されず適宜選択できるが、例えば、Ｖ字状やＵ字状、底面の幅よりも開口幅の広い台形状、開口幅と底面の幅とが同一な矩形状などが挙げられる。保持溝４０の横断面形状をＶ字状とする場合、Ｖ字の角度の二等分線が、本体部２の径方向に沿って平行なＶ字（図１右下一点鎖線円内）でもよいし、本体部２の径方向に対して傾斜する変形Ｖ字（図３参照：後述）でもよい。即ち、Ｖ字の底を通って本体部２の径方向に沿った仮想線をとったとき、その仮想線と溝の先端側の側面及び後端側の側面のそれぞれとのなす角が、図１に示すように同一であってもよいし、後述する図５に示すように異なっていてもよい。保持溝４０の横断面形状がＶ字状の場合、両方の側面の長さは同一であり、保持溝４０の横断面形状が変形Ｖ字状の場合、両方の側面の長さは異なる。ここでは、保持溝４０の横断面形状は、Ｖ字状である。保持溝４０の横断面形状が変形Ｖ字状の形態は、後述する実施形態４で説明し、保持溝４０の横断面形状が台形状の形態は、後述する実施形態５で説明する。
【００５８】
〈最大深さ〉
保持溝４０の最大深さｄｐは、例えば、０．５ｍｍ以下が好ましい。最大深さｄｐを０．５ｍｍ以下とすれば、保持溝４０が電気的弱点となり難い。最大深さｄｐとは、溝（Ｖ字）の底を通って本体部２の径方向に沿った長さとする。保持溝４０の最大深さｄｐは、０．４ｍｍ以下が好ましく、特に０．２ｍｍ以下が好ましい。保持溝４０の最大深さｄｐは、０．１ｍｍ以上が好ましい。最大深さｄｐを０．１ｍｍ以上とすれば、保持溝４０に潤滑剤４００を保持させ易い。
【００５９】
〈開口幅・ピッチ〉
保持溝４０の開口幅ｗｏとピッチｐは、適宜選択できる。開口幅ｗｏは、溝開口部の最短距離とする。ピッチｐは、隣り合う溝同士の中心間の最短距離とする。溝開口部の最短距離と隣り合う溝同士の中心間の最短距離とは、保持溝４０の長手（伸延）方向と直交方向の距離である。本例のように保持溝４０が螺旋溝の場合、保持溝４０の長手方向は、軸方向ｃに対して直交せず（非直交に）交差している。保持溝４０の開口幅ｗｏとピッチｐとは同じ長さとしてもよいし、保持溝４０のピッチｐは開口幅ｗｏ以上の長さとしてもよい。
【００６０】
保持溝４０の開口幅ｗｏは、例えば、１ｍｍ以下が好ましい。保持溝４０の開口幅ｗｏが１ｍｍ以下であれば、開口幅ｗｏが過度に広くなりすぎない。そのため、保持溝４０に潤滑剤４００を保持させ易い上に、保持溝４０に保持させる潤滑剤４００の量が多くなり難い。保持溝４０の開口幅ｗｏは、０．８ｍｍ以下が好ましく、更に、０．５ｍｍ以下が好ましく、特に、０．３ｍｍ以下が好ましい。保持溝４０の開口幅ｗｏは、例えば０．１ｍｍ以上が好ましい。保持溝４０の開口幅ｗｏを０．１ｍｍ以上とすれば、潤滑剤４００を保持させ易く、電力ケーブル１０の挿入性を高め易い。
【００６１】
保持溝４０のピッチｐは、例えば、開口幅の２倍以下が好ましい。保持溝４０のピッチｐが開口幅の２倍以下であれば、隣り合う溝同士の間隔が過度に広くなりすぎない。そのため、電力ケーブル１０の表面に塗布する潤滑剤が、電力ケーブル１０をゴムモールド部品１に挿入する際の電力ケーブル１０と本体部２の内周面４との接触により擦り取られ難い。保持溝４０のピッチｐは、２ｍｍ以下が好ましく、更に、１ｍｍ以下、０．８ｍｍ以下が好ましく、特に、０．５ｍｍ以下、０．３ｍｍ以下が好ましい。保持溝４０のピッチｐは、０．１ｍｍ以上が好ましい。
【００６２】
上述の保持溝４０の形状やサイズ（最大深さｄｐ、開口幅ｗｏ、及びピッチｐ）は、ゴムモールド部品１のサイズなどに関係なく適用できる。
【００６３】
〈形成領域〉
保持溝４０における軸方向ｃに沿った形成領域は、長いほど好ましい。保持溝４０の形成領域が長いと、軸方向ｃに沿って広範囲に亘って潤滑剤４００を保持させられる。そのため、電力ケーブル１０をゴムモールド部品１に挿入させる際に潤滑剤４００が擦り取られ難く、電力ケーブル１０をゴムモールド部品１に挿入させ易い。保持溝４０の形成領域は、軸方向ｃの略全長に亘る領域であることが特に好ましい。
【００６４】
〈形成方法〉
保持溝４０の本体部２の内周面４への形成は、本体部２を注型成形や射出成形する際の中子の表面性状の転写により行える。即ち、保持溝４０の本体部２の内周面４への形成には、保持溝４０と同じ溝が形成された中子を用いる。
【００６５】
〔ゴムモールド部品の作用効果〕
実施形態１のゴムモールド部品１は、以下の効果を奏することができる。
【００６６】
（１）電力ケーブル１０への装着性に優れる。本体部２が上述の保持溝４０が形成された内周面４を備えることで、保持溝４０を備えていない場合に比較して、ゴムモールド部品１を電力ケーブル１０の端部に装着する際、潤滑剤が電力ケーブル１０の表面により擦り取られ難いからである。従って、電力ケーブル１０とゴムモールド部品１との滑りが悪化し難く、電力ケーブル１０にゴムモールド部品１を円滑に装着し易い。
【００６７】
（２）保持溝４０に潤滑剤を塗布すれば潤滑剤を保持させられる。そのため、ゴムモールド部品１を用いて電力ケーブルの接続部１００（後述）を構築する際、予めゴムモールド部品１の製造工場で保持溝４０に潤滑剤を塗布して保持させてもよい。それにより、電力ケーブルの接続部の施工現場で本体部２の内周面４に潤滑剤を塗布する作業を省略してもよい。そうすれば、電力ケーブルの接続部の構築作業を簡略化し易い。予め保持溝４０に潤滑剤が保持されていれば、電力ケーブル１０への潤滑剤の塗布を省略してもよい。
【００６８】
〔電力ケーブルの接続部〕
図２を参照して実施形態１に係る電力ケーブルの接続部１００を説明する。電力ケーブルの接続部１００は、電力ケーブル１０とゴムモールド部品１とを備える。ここでは、ゴムモールド部品１は、上述の本体部２の先端に金属端子２００が一体化されている場合を例に説明する。この点は、後述する実施形態２から実施形態６においても同様である。
【００６９】
［電力ケーブル］
電力ケーブル１０は、図２に示すように、内周から順に、導体１１、内部半導電層（図示略）、絶縁体１３、外部半導電層（図示略）、遮蔽層（図示略）、シース１６を備える。この電力ケーブル１０の端部は、段剥ぎされて、導体１１、絶縁体１３が露出している。導体１１の先端には、金属端子２００が電気的に接続されている。この金属端子２００を介して、電力ケーブル１０は、相手側機器（図示略）と電気的に接続される。
【００７０】
［ゴムモールド部品］
ゴムモールド部品１は、電力ケーブル１０の端部に装着されている。ゴムモールド部品１は、上述したように本体部２に保持溝４０が形成された内周面４を備える。本体部２は、電力ケーブル１０の端部を覆っている。具体的には、本体部２は、絶縁体１３から導体１１の途中に亘って覆っている。導体１１の先端は、本体部２に一体化された金属端子２００により覆われている。
【００７１】
〔電力ケーブルの接続部の作用効果〕
上述した電力ケーブルの接続部１００によれば，本体部２に保持溝４０が形成されて電力ケーブル１０への装着性に優れる上述のゴムモールド部品１を備えるため、組立作業性に優れる。
【００７２】
〔ゴムモールド部品の施工方法〕
ゴムモールド部品の施工方法は、上述のゴムモールド部品１を用いて、電力ケーブル１０の端部に装着する。ゴムモールド部品の施工方法は、準備工程と装着工程とを備える。
【００７３】
［準備工程］
準備工程では、段剥ぎされた端部を有する電力ケーブル１０と、ゴムモールド部品１とを準備する。ゴムモールド部品１は、本体部２に保持溝４０が形成された内周面４を備える上述のゴムモールド部品１を準備する。本体部２の内周面４への潤滑剤の塗布が必要な場合に、予めゴムモールド部品１における本体部２の内周面４に潤滑剤４００が塗布されていると、施工現場で潤滑剤を別途塗布する作業を省略することもできる。
【００７４】
［装着工程］
装着工程では、電力ケーブル１０の段剥ぎした端部に本体部２（ゴムモールド部品１）を装着する。このとき、本体部２を導体１１の先端から嵌め込む。ここでは、本体部２を絶縁体１３から導体１１の途中に亘るように嵌め込む。導体１１の先端は、本体部２と金属端子２００とが一体化されているため、本体部２の上記嵌め込みと共に金属端子２００に覆われる。
【００７５】
〔ゴムモールド部品の施工方法の作用効果〕
上述したゴムモールド部品の施工方法によれば、本体部２に保持溝４０が形成された内周面４を備える上述のゴムモールド部品１を用いるため、電力ケーブル１０にゴムモールド部品１を容易に装着できる。
【００７６】
《実施形態２》
〔ゴムモールド部品〕
図３，４を参照して、実施形態２のゴムモールド部品１を説明する。実施形態２のゴムモールド部品１は、筒状の本体部２とその内側に設けられる筒状の電界緩和層３とを備え、電界緩和層３に保持溝４０が形成された内周面４を備える点が、実施形態１のゴムモールド部品１と相違する。
【００７７】
［本体部］
本体部２は、実施形態１と同様、筒状であり、後述の電力ケーブル１０（図４）の端部が挿入されて電力ケーブル１０の端部の絶縁性を高める。この形態の本体部２は、公知のゴムモールド部品の本体部を利用できる。
【００７８】
［電界緩和層］
電界緩和層３は、図３に示すように筒状であり、内部に挿通された電力ケーブル１０の遮蔽層の端部への電界の集中を緩和する。それにより、電力ケーブル１０の絶縁体１３の電気的ストレスによる劣化を低減して絶縁破壊を抑制する。ここで、遮蔽層の端部とは、後述する半導電性テープ層１８における先端側の端部（図４）を含む。電界緩和層３は、ゴムモールド部品１の軸方向ｃの中間部の内周面に一体に形成されている。電界緩和層３の材質は、例えば、半導電性ゴムが挙げられる。
【００７９】
電界緩和層３の内周面４には、保持溝４０が形成されている。電界緩和層３の内周面４をその軸方向ｃから見たとき、実施形態１の本体部２と同様、保持溝４０は電界緩和層３の内周方向に突出しておらず、軸方向手前の内周面４の輪郭が軸方向奥の内周面４の輪郭と重複し、電界緩和層３の内周面４の輪郭は単一の円形に見える。保持溝４０の形状、サイズなどは、実施形態１と同様とすることができる。保持溝４０における軸方向ｃに沿った形成領域は、実施形態１と同様、長いほど好ましく、特に電界緩和層３の軸方向ｃの略全長に亘る領域であることが好ましい。電界緩和層３の内周面４への保持溝４０の形成は、実施形態１の本体部２の内周面４への保持溝４０の形成と同様に行える。
【００８０】
電界緩和層３の硬さは、電界緩和層３の材質の配合によって種々選択でき、本体部２の硬さよりも硬くしたり、柔らかくしたりすることができる。電界緩和層３の硬さは、本体部２の硬さよりも硬いことが好ましい。そうすれば、電界緩和層３の保持溝４０は、ゴムモールド部品１の電力ケーブル１０への装着時、電力ケーブル１０との接触で変形し難い。それにより、保持溝４０に潤滑剤４００を保持させ易く、潤滑剤４００の保持溝４０間の乗り越えを抑制し易い。そのため、ゴムモールド部品１の電力ケーブル１０への装着後に、保持溝４０（電界緩和層３と電力ケーブル１０との間）に空隙が形成され難く、電力ケーブル１０に電圧が印加されたときに電界緩和層３で放電することを抑制できる。この硬さは、タイプＡデュロメータ硬さを言う。タイプＡデュロメータ硬さは、「加硫ゴム及び熱可塑性ゴム−硬さの求め方−第３部：デュロメータ硬さ  ＪＩＳ  Ｋ  ６２５３−３（２０１２）」に準拠した値である。
【００８１】
電界緩和層３の硬さが本体部２の硬さよりも硬い場合、電界緩和層３の硬さは、本体部２の硬さとの差が、例えば、５以上が好ましく、更には１０以上が好ましい。この差の上限は、例えば、２５以下とすることができる。電界緩和層３の硬さは、例えば３５以上が好ましく、更には４５以上が好ましい。電界緩和層３の硬さの上限は、電力ケーブル１０を挿入できる硬さであれば特に限定されないが、例えば６５以下とすることができる。
【００８２】
〔ゴムモールド部品の作用効果〕
実施形態２のゴムモールド部品１は、実施形態１と同様、電力ケーブル１０への装着性に優れる。特に、電界緩和層３の硬さを本体部２の硬さよりも硬くすれば、保持溝４０に潤滑剤４００を保持させ易いため、電力ケーブル１０への装着性により一層優れる。その上、電力ケーブル１０への装着後、保持溝４０（電力ケーブル１０との間）に空隙が形成され難いため、電力ケーブル１０に電圧が印加されたとき、電界緩和層３で放電が発生することを抑制できる。
【００８３】
〔電力ケーブルの接続部〕
図４を参照して実施形態２に係る電力ケーブルの接続部１００を説明する。電力ケーブルの接続部１００は、電力ケーブル１０とゴムモールド部品１とを備える。このゴムモールド部品１には、上述のゴムモールド部品１を用いる。
【００８４】
［電力ケーブル］
電力ケーブル１０は、図４に示すように、上述と同様、内周から順に、導体１１、内部半導電層（図示略）、絶縁体１３、外部半導電層（図示略）、遮蔽層（図示略）、シース１６を備える。電力ケーブル１０の端部は、段剥ぎされて、導体１１、絶縁体１３が露出している。導体１１の先端には、金属端子２００が電気的に接続されている。遮蔽層の外周と絶縁体１３の外周の一部とには、遮蔽層から絶縁体１３に亘って半導電性テープが巻回されて半導電性テープ層１８が形成されている。
【００８５】
［ゴムモールド部品］
ゴムモールド部品１は、電力ケーブル１０の端部に装着されている。ゴムモールド部品１は、上述したように本体部２と保持溝４０が形成された内周面４を有する電界緩和層３とを備える。本体部２は、電界緩和層３が電力ケーブル１０の半導電性テープ層１８から絶縁体１３に亘って覆うように、電力ケーブル１０の端部を覆っている。本体部２は、シース１６から導体１１の途中に亘って覆っている。導体１１の先端は、金属端子２００により覆われている。
【００８６】
〔ゴムモールド部品の施工方法〕
ゴムモールド部品の施工方法は、上述のゴムモールド部品１を用いて、電力ケーブル１０の端部に装着する。ゴムモールド部品の施工方法は、準備工程と装着工程とを備える。
【００８７】
［準備工程］
準備工程では、段剥ぎされた端部を有する電力ケーブル１０と、ゴムモールド部品１とを準備する。ゴムモールド部品１は、本体部２と、保持溝４０が形成された内周面４を有する電界緩和層３とを備える上述のゴムモールド部品１を準備する。
【００８８】
［装着工程］
装着工程では、電力ケーブル１０の段剥ぎした端部にゴムモールド部品１を装着する。ゴムモールド部品１の電力ケーブル１０の端部への装着は、次のようにして行う。ゴムモールド部品１の本体部２における後端側の端部を所定の位置まで外側に折り返す。後端側の端部を折り返した状態のゴムモールド部品１を電力ケーブル１０の端部に嵌め込む。このとき、ゴムモールド部品１の折り返し箇所が電力ケーブル１０のシース１６の端部を覆うようにゴムモールド部品１を電力ケーブル１０の端部に嵌め込む。折り返した部分を元に戻して電力ケーブル１０の外周面に被せる。
【００８９】
《実施形態３》
実施形態３のゴムモールド部品は、実施形態２と同様、本体部２と電界緩和層３（図３を参照）とを備えるが、本体部２と電界緩和層３の両方に保持溝４０が形成された内周面４を備える点が実施形態２と相違する。保持溝４０の形状やサイズなどは、実施形態１，実施形態２と同様とすることができる。
【００９０】
《実施形態４》
〔ゴムモールド部品〕
図５上図及び下図を参照して、実施形態４のゴムモールド部品を説明する。図５上下の一点鎖線円内の図は、図１右下一点鎖線円内と同様、保持溝４０の横断面を示す図である（この点は、後述の図６でも同じ）。実施形態４のゴムモールド部品は、保持溝４０の横断面形状が変形Ｖ字状である点が、実施形態１から実施形態３のゴムモールド部品１と相違する。この形態では、電界緩和層３が変形Ｖ字状の保持溝４０が形成された内周面４を備える場合を例に説明する。実施形態１のように電界緩和層を備えないゴムモールド部品１の本体部２に変形Ｖ字状の保持溝４０が形成された内周面４を備える形態とすることもできる。実施形態３のように本体部２と電界緩和層３の両方に変形Ｖ字状の保持溝４０が形成された内周面４を備える形態とすることもできる。これらの点は、後述の実施形態５，実施形態６でも同様である。
【００９１】
［電界緩和層］
（保持溝）
変形Ｖ字状の保持溝４０は、上述したようにＶ字の角度の二等分線が電界緩和層３の径方向に対して傾斜する。即ち、変形Ｖ字状を構成する保持溝４０の先端側側面と後端側側面の両方の長さは、互いに異なる。この保持溝４０は、横断面において、Ｖ字の底を通って電界緩和層３の径方向に沿った仮想線を取ったとき、その仮想線と保持溝４０の先端側側面と後端側側面のそれぞれとのなす角が異なっている。保持溝４０の先端側側面と仮想線とのなす角を先端側角α、保持溝４０の後端側側面と仮想線とのなす角を後端側角βとするとき、保持溝４０は、図５上図に示すような「先端側角α＜後端側角β」の関係を満たす箇所を有していてもよいし、図５下図に示すような「先端側角α＞後端側角β」の関係を満たす箇所を有していてもよい。
【００９２】
保持溝４０の全てが、「先端側角α＜後端側角β」又は「先端側角α＞後端側角β」の一方の関係を満たす変形Ｖ字状で構成されていてもよい。また、保持溝４０の一部が、「先端側角α＜後端側角β」の関係を満たす変形Ｖ字状で構成され、保持溝４０の残部が「先端側角α＞後端側角β」の関係を満たす変形Ｖ字状で構成されていてもよい。例えば、先端側の保持溝４０を構成する変形Ｖ字状が「先端側角α＜後端側角β」の関係（「先端側角α＞後端側角β」の関係）を満たし、後端側の保持溝４０を構成する変形Ｖ字状が「先端側角α＞後端側角β」の関係（「先端側角α＜後端側角β」の関係）を満たしていてもよい。
【００９３】
保持溝４０の深さｄｐ、開口幅ｗｏ、及びピッチｐは、実施形態１と同様とすることができる。但し、ここでは保持溝４０のピッチｐは、隣り合う溝のＶ字の底同士間の最短距離とする。
【００９４】
《実施形態５》
〔ゴムモールド部品〕
図６を参照して、実施形態５のゴムモールド部品を説明する。実施形態５のゴムモールド部品は、保持溝４０の横断面形状が台形状である点が実施形態１から実施形態４のゴムモールド部品と相違する。
【００９５】
［電界緩和層］
（保持溝）
保持溝４０の横断面形状が台形状とは、等脚台形の他、直角台形などのように一対の脚の長さの異なる台形などとすることができる。ここでは、保持溝４０の横断面形状は、等脚台形としている。
【００９６】
保持溝４０の深さｄｐ、開口幅ｗｏ、及びピッチｐは、実施形態１と同様とすることができる。但し、ここでは保持溝４０のピッチｐは、隣り合う溝の底幅の中間同士の間の最短距離とする。保持溝４０の底面の幅ｗｄは、保持溝４０の開口幅ｗｏ以下であることが好ましい。即ち、保持溝４０の底面の幅ｗｄと開口幅ｗｏとの比率（ｗｄ／ｗｏ）は、１以下とすることが好ましい。そうすれば、保持溝４０を形成し易い上に、潤滑剤４００を保持させ易い。この比率（ｗｄ／ｗｏ）は、更に０．５以下とすることができ、特に０．１以下とすることができる。この比率（ｗｄ／ｗｏ）は、０．０１以上とすることができる。
【００９７】
保持溝４０の底面の幅ｗｄは、例えば、１ｍｍ以下とすることができる。保持溝４０の底面の幅ｗｄが１ｍｍ以下であれば、底面の幅ｗｄが過度に広くなりすぎず、保持させる潤滑剤４００の量が多くなり過ぎない。保持溝４０の底面の幅ｗｄは、更には０．５ｍｍ以下とすることができ、特に０．１ｍｍ以下とすることができる。保持溝４０の底面の幅ｗｄは、例えば、０．０１ｍｍ以上とすることができる。底面の幅ｗｄを０．０１ｍｍ以上とすれば、保持溝４０に潤滑剤４００を保持させ易い。
【００９８】
《実施形態６》
〔ゴムモールド部品〕
図７を参照して、実施形態６のゴムモールド部品を説明する。実施形態６のゴムモールド部品は、保持溝４０を複数のリング溝で構成する点が、実施形態１から実施形態５のゴムモールド部品と相違する。
【００９９】
［電界緩和層］
（保持溝）
保持溝４０を構成する複数のリング溝は、ゴムモールド部品の軸方向ｃに並列している。各リング溝は、図７上図に示すように、電界緩和層３の径方向に平行に形成されていてもよいし、図７下図に示すように、電界緩和層３の径方向に対して傾斜するように形成されていてもよい。図７下図のように傾斜するリング溝は、電界緩和層３の両端部で、電界緩和層３の内周面の１周分形成されておらず、リングの途中が切れた円弧溝で形成されている。各リングの横断面形状は、上述したＶ字状、変形Ｖ字状、台形状、矩形状などとすることができる。各リング溝の深さｄｐ及び開口幅ｗｏや、リング溝同士のピッチｐ、リング溝の形成領域は、実施形態１の螺旋溝と同様とすることができる。
【０１００】
《変形例》
変形例として、ゴムモールド部品の本体部と金属端子とを別体とすることもできる。その場合、電力ケーブルの接続部において、電力ケーブルの端部に装着される本体部の先端は、本体部と金属端子とが一体の場合とは相違し、導体の途中ではなく絶縁体の途中に位置する。電力ケーブルの端部における本体部の先端と導体の先端の金属端子との間は、絶縁テープが巻回される。
【０１０１】
《試験例》
図３を参照して説明したゴムモールド部品１の電界緩和層３における保持溝４０の各種パラメータを種々変更して、ゴムモールド部品１の電力ケーブル１０への装着性の評価を行った。この試験例では、以下に示すように保持溝の開口幅ｗｏ、ピッチｐ、及び深さｄｐの異なる２種類の電界緩和層Ａ、Ｂのそれぞれを備えるゴムモールド部品を用意した。
【０１０２】
［電界緩和層Ａ］
保持溝：複数のターンを有する１本の螺旋溝
保持溝の横断面形状：Ｖ字状
保持溝の開口幅ｗｏ：０．３ｍｍ
保持溝のピッチｐ：０．３ｍｍ
保持溝の深さｄｐ：０．１５ｍｍ
保持溝の形成領域：電界緩和層の軸方向の略全長
【０１０３】
［電界緩和層Ｂ］
保持溝：複数のターンを有する１本の螺旋溝
保持溝の横断面形状：Ｖ字状
保持溝の開口幅：０．４ｍｍ
保持溝のピッチ：１ｍｍ
保持溝の深さ：０．４ｍｍ
保持溝の形成領域：電界緩和層の軸方向の略全長
【０１０４】
［装着性の評価］
電力ケーブルの端部には潤滑剤を塗布せず、保持溝に潤滑剤を塗布して、ゴムモールド部品に電力ケーブルを挿入した。その結果、電界緩和層Ａ、Ｂのそれぞれを備えるゴムモールド部品のどちらにも、電力ケーブルを円滑に挿入することができた。
【０１０５】
本発明は、これらの例示に限定されるものではなく、特許請求の範囲によって示され、特許請求の範囲と均等の意味および範囲内でのすべての変更が含まれることが意図される。
【産業上の利用可能性】
【０１０６】
本発明の一態様に係るゴムモールド部品は、電力ケーブルの端末接続部や中間接続部を構築するゴムモールド部品に好適に利用できる。本発明の一態様に係る電力ケーブルの接続部は、電力ケーブルの端末接続部や中間接続部に好適に利用できる。本発明の一態様に係るゴムモールド部品の施工方法は、電力ケーブルの端末接続部や中間接続部を構築する施工方法に好適に利用できる。
【符号の説明】
【０１０７】
１００  電力ケーブルの接続部
１  ゴムモールド部品
２  本体部
３  電界緩和層
４  内周面
４０  保持溝
４００  潤滑剤
１０  電力ケーブル
１１  導体
１３  絶縁体
１６  シース
１８  半導電性テープ層
２００  金属端子
【図１】
0006342439.tif 000002
【図２】
0006342439.tif 000003
【図３】
0006342439.tif 000004
【図４】
0006342439.tif 000005
【図５】
0006342439.tif 000006
【図６】
0006342439.tif 000007
【図７】
0006342439.tif 000008